(57)【要約】【課題】  建物の壁面や塀に取付けて草花を育成することが出来るプランターの提供。【解決手段】  プランターは壇床１と壇受け２の組合せで構成され、壇床１は基部８と蓋部９とが互いに組み合わされて内部空洞を有し、蓋部９には大きな開口５を形成すると共に該開口５を覆うように背後と上部を開口した壇受け２を取付け、そして壇床１の下側縁１３ｂには余分な水を流し出す為の水抜き穴又は水抜きパイプ７を設け、基部８には上記壁面４や塀に固定した支柱３のツメ２５に係止して取付けられる係止穴２６を備えている。【選択図】    図１
2007197993.tif 000002
【特許請求の範囲】
【請求項１】
建物の壁面や塀に取付けて草花を育成することが出来るプランターにおいて、該プランターは壇床と壇受けの組合せで構成され、壇床は基部と蓋部とが互いに組み合わされて内部空洞を有し、蓋部には大きな開口を形成すると共に該開口を覆うように背後と上部を開口した壇受けを取付け、そして壇床の下側縁には余分な水を流し出す為の水抜き穴又は水抜きパイプを設け、基部には上記壁面や塀に固定した支柱に係止して取付けられる係止手段を備えたことを特徴とするプランター。
【請求項２】
上記蓋部に設けた開口の側部にスリット溝を形成し、壇受けの側片にはツメを設けると共に底板の先端には係止片を垂直下方へ延ばし、該ツメをスリット溝に係止し、係止片を開口下縁に係止して壇受けを壇床に取付けた請求項１記載のプランター。
【請求項３】
上記壇床の中間下部には水抜き穴を形成した底板を設けた請求項１、又は請求項２記載のプランター。
【請求項４】
壁面に固定した支柱にはツメを設け、壇床の基部には係止穴を形成し、該ツメを係止穴に係止して支柱に取付けた請求項１、請求項２、又は請求項３記載のプランター。
【発明の詳細な説明】
【技術分野】
【０００１】
本発明は建物の壁面や塀に取付けることが出来るプランターに関するものである。
【背景技術】
【０００２】
近年、家の庭先で色々な草花を育てて楽しむガーデニングが流行している。又、ビルの屋上にミニ庭園を作るなどして建物を緑化することも多く行われている。ところで、家庭の庭先で行うガーデニングには一般にプランターが使用され、このプランターに土を入れて色々な草花を育てるといった方法が採られている。しかし、該プランターは庭の敷地面に置かれる為に、ある程度の敷地が必要となる。
【０００３】
又、プランターを置くことが出来る広さのある庭先であっても、地面に置かれているプランターが邪魔になるケースも多い。勿論、配置できるプランターの個数は敷地面積に制限され、敷地からはみ出して置くことは出来ない。一方、庭の無いマンションなどでは、建物のバルコニーを囲むフェンスを利用して草花を育てる方法も知れている。
【０００４】
例えば、特開２００２−１２９６４７号に係る「建築物用緑化構造及び緑化植物基盤」は、建築物のバルコニーを囲むフェンス状の手摺りなどに対して植物による緑化を施すようになっている。この手摺り構造は、多孔板を有して建築物の所定領域を仕切る仕切り面と、仕切り面に取付けられる緑化盤材とを備えている。この緑化盤材は、一面が開放された平箱状をなし開放面を仕切り面に向けて取付けられる収容箱と、この収容箱に充填された保水層と、収容箱の開放面を塞ぐ被覆繊維層と、保水層に植え付けられ被覆繊維層を貫通して開放面から仕切り面の開口を通過して外面に延びる緑化植物とを有している。
【０００５】
特開２００５−２１１０００号に係る「プランター 設置用フレーム」は、高齢者や障害者であっても手軽にガーデニング を始められることを考慮し、また、その構造から安価に構成することができるプランター設置用フレームであり、該プランターを支持するプランター 支持部を構成するプランター支持フレームと、該プランター 支持フレームを上方に支持する支柱と、該支柱に設けられて、プランター支持部の高さ位置を変更可能にする高さ調節機構と、前記支柱の各足部に取付けられたキャスターと、前記支柱に取付けられた脱着可能な作業台と、前記プランター支持部に取付けられたフックとから構成している。
【特許文献１】特開２００２−１２９６４７号に係る「建築物用緑化構造及び緑化植物基盤」
【特許文献２】特開２００５−２１１０００号に係る「プランター 設置用フレーム」
【発明の開示】
【発明が解決しようとする課題】
【０００６】
このように、従来のプランターの設置には上記のごとき問題がある。本発明が解決しようとする課題はこれら問題点であり、敷地の狭い住宅であっても建物の壁面や塀に取付けることが出来るプランターを提供する。
【課題を解決するための手段】
【０００７】
本発明に係るプランターは壇床と壇受けで構成され、壇受けは壇床に係止状態で取付けられる。そして、壇床は所定の厚さを有す長方形の箱体であって、基部に蓋部が組合された構造で、その内部は空洞と成っている。壇受けは上部と背面側を開口した箱形を成し、上記壇床の蓋部に係止して取付けられ、蓋部には内部空洞に連通する開口を有している。
【０００８】
ところで、この壇受けを取付けた壇床は壁面に取着されるが、取着に際して支柱が用いられ、該支柱は建物の壁面に固定されている。そして、該支柱にはツメが正面側に突出して設けられ、このツメに係止して壇床が取着される。支柱は少なくとも壇床の左右側部に２本起立し、両支柱にて壇床が支えられる。一方、壇床の底（下側縁）には水抜き穴が貫通して設けられ、上部（上側縁）にも必要に応じて水抜き口が貫通される。
【発明の効果】
【０００９】
本発明に係るプランターは壇床と壇受けとで構成され、壁面に固定される支柱を介して該壁面に取付けられる。ところで、壇受けには土が入れられ、該土は壇床の空洞に充填され、そして、壇受けに各種草花を植えて育成することが出来る。草花の根は壇受けから壇床へ伸びることが出来、壇受けから水をかけるならば壇床へ流れ込み、余分な水は底に設けた穴から排出される。
【００１０】
本発明は壁面取付け式プランターであり、建物の壁面や塀に取付けることが出来、床面や地面に置かないので、狭い敷地の住宅やマンションでのガーデニングに適しており、数多くのプランターを壁面に配列して取付けることで、建物を緑化することが可能と成る。又、該プランターを上下左右に配列することで住宅の塀を構成することも可能と成る。すなわち、支柱を等間隔で起立すると共に該支柱のツメに壇床を係止して取付けることが出来、塀が構成される。
【実施例】
【００１１】
図１は本発明に係るプランターを壁面に取付けた場合を示し、同図の１は壇床、２は壇受け、３は支柱を表している。２本の支柱３，３は所定の間隔をおいて建物の壁面４にネジ止めされ、壇床１はこの支柱３，３に取付けられている。ここでは壇床１に１個の壇受け２が取付けられているが、大きな壇床１とすることで２個乃至３個の壇受け２，２・・を取付けることも出来る。
【００１２】
そして、壇床１は厚さＴが３０ｍｍないし７０ｍｍ程度の箱形をなしているが、壁面４に複数個を配列することも出来る。例えば、１列で横方向に配列したり、上下２列又は３列状態で横方向に配列する場合もある。このように配列することで、建物の壁面のほぼ全体を壇床１，１・・にて覆うことが出来、壇受け２，２・・に植えた草花にて壁面４が覆われる。
【００１３】
図２は本発明のプランターを表している実施例であり、(ａ）は平面図、（ｂ）は正面図、(ｃ）は側面図をそれぞれ示している。壇床１の正面に壇受け２を取付けて構成され、この状態で壁面４に固定した支柱３，３に取付けることが出来る。該壇受け２は上部を開口したホッパーであって、これに土を入れるならば、壇床１の正面開口から内部空洞に充填され、壇受け２には任意の草花を植えて育成することが出来る。
【００１４】
図３は壇床１を単独で表している。厚さの薄い箱形をした壇床１の正面には２個の開口５，５が形成され、該開口５，５の側部にはスリット溝６，６，６を有し、該スリット溝６，６，６にツメが係止して壇受け２が図２のように取付けられる。そして、壇床１の下端には水抜きパイプ７，７が下方へ延びていて、壇受け２に植えた草花に与えた水は開口５から壇床１の内部を流れ落ちて該水抜きパイプ７，７から排水される。
【００１５】
図４はプランターの縦断面図、図５はプランターの横断面図をそれぞれ表している。同図に示すように壇床１は樹脂製の基部８と同じく樹脂製の蓋部９との組合せ構造と成っており、蓋部９に突出して設けた支え１０，１０・・に基部８が当ってネジ止めされている。基部８の周囲には外縁１１と内縁１２が一定の間隔をおいて沿設され、蓋部９の側縁１３は上記外縁１１と内縁１２とに挟まれて組合されている。この場合、側縁１３の先端にはゴムパッキン１４が設けられて水漏れを防止した構造となっている。
【００１６】
一方、壇受け２は正面板１５、側板１６，１６、底板１７、及び仕切り板１８を両側板１６，１６の中間に設け、背後及び上方は開口した形状とし、側板１６，１６、及び仕切り板１８の先端にはツメ１９，１９・・を設けている。又、底板１７の先端には係止片２０を垂直下方へ延ばしている。そして、該ツメ１９，１９・・は壇床１の蓋部９に形成しているスリット溝６，６・・に係止すると共に、係止片２０は蓋部９の開口５の下縁に係止して壇受け２が取付けられている。従って、壇受け２は壇床１に着脱自在と成っている。
【００１７】
壇床１の下部側には凸片２２ａ，２２ｂが基部８と蓋部９に設けられ、底板２１は該凸部２２ａ，２２ｂに載って支持され、中央部には細長い形状で貫通した水抜き穴２３が設けられている。そして、下側縁１３ｂには水抜きパイプ７が取付けられて下方へ延び、上側縁１３ａには水抜き口２４を設けている。
【００１８】
ところで、該プランターは壁面４に固定した支柱３，３に取付けられるが、支柱３，３にはツメ２５を有し、このツメ２５が基部８に設けている係止穴２６に嵌って係止される。すなわち、プランターは壁面４に固定している支柱３，３にワンタッチで取付けることが出来、逆に取外すことも出来る。
【００１９】
図６は支柱３に取付けたプランターに土２７を入れた場合を表している。壇受け２に土２７を入れるならば、該土２７は開口５から壇床１へ入って充填されて底板２１まで土２７が詰められる。そして、壇受け２には草花を植えることが出来、草花の根は壇受け２から壇床１まで延びることが出来る。草花に与えた余分な水は、底板２１の水抜き穴２３を通過して水抜きパイプ７から排出される。
【００２０】
本発明のプランターは壇床１と壇受け２との組合せで構成しているが、図６に示すプランターの上に別なプランターを配置して取付けることが出来る。この場合には、上方に配置されるプランターの水抜きパイプ７は上側縁１３ａに貫通して設けた水抜き穴２４に嵌められ、下側の壇床１を流れて水抜きパイプ７から排水される。
【図面の簡単な説明】
【００２１】
【図１】本発明のプランターを壁面に固定した支柱に取付けた斜視図。
【図２】本発明に係るプランターを示す具体例。
【図３】プランターを構成する壇床。
【図４】本発明に係るプランターの縦断面図。
【図５】本発明に係るプランターの横断面図。
【図６】プランターの壇受け及び壇床に土を入れた場合。
【符号の説明】
【００２２】
１  壇床
２  壇受け
３  支柱
４  壁面
５  開口
６  スリット溝
７  水抜きパイプ
８  基部
９  蓋部
10  支え
11  外縁
12  内縁
13  側縁
14  ゴムパッキン
15  正面板
16  側板
17  底板
18  仕切り板
19  ツメ
20  係止片
21  底板
22  凸片
23  水抜き穴
24  水抜き口
25  ツメ
26  係止穴
27  土
【図１】
2007197993.tif 000003
【図２】
2007197993.tif 000004
【図３】
2007197993.tif 000005
【図４】
2007197993.tif 000006
【図５】
2007197993.tif 000007
【図６】
2007197993.tif 000008